(57)【要約】【課題】解体性に優れた包装箱を提供する。【解決手段】ユーザが、上面板（第１面板）の、蓋部を切り抜くことにより形成される収容物の取出口の端の部分をつまんで引き上げることにより、第１層間剥離帯及び第２層間剥離帯が層間剥離し、筒体の端面に接する辺を一辺とする第１面板の所定領域を容易に捲り上げることができる。またユーザが、上記所定領域をつまんだまま側方に引っ張ることにより、第３層間剥離帯及び第４層間剥離帯が層間剥離し、筒体の端面（少なくとも第１フラップ、第１側面フラップ、及び第２側面フラップ含む）を筒体から切り離すことができる。以上により第１側面板及び第２側面板は支えのない状態となり、ユーザは滑らか（スムーズ）な操作観で、包装箱の全体を容易かつ綺麗に平坦(フラット）な状態に展開することができる。【選択図】図７Ｃ
2018140791.tif 000002
【特許請求の範囲】
【請求項１】
角筒状の筒体を構成する、第１面板、前記第１面板に対向する第２面板、前記第１面板及び前記第２面板に連設される第１側面板、及び前記第１側面板に対向する第２側面板、
前記第１面板の面内に前記第１の面板の面内に切り抜き可能に設けられる所定形状の蓋部、
前記筒体の端面を構成し、前記第１面板に延設される第１フラップ、
前記筒体の前記端面を構成し、前記第１側面板に延設される第１側面フラップ、
前記筒体の前記端面を構成し、前記第２側面板に延設される第２側面フラップ、
を有し、
前記第１面板は、前記蓋部の周縁の第１部位から、少なくとも前記第１面板の前記端面に接する第１角部の近傍まで所定間隔で互いに平行に延出する、前記第１面板の表面側と裏面側の夫々に形成された一対のハーフカット線により構成される第１層間剥離帯と、前記蓋部の周縁の第２部位から、少なくとも前記第１面板の前記端面に接する第２角部の近傍まで所定間隔で平行に延出する、前記第１面板の表面側と裏面側の夫々に形成された一対のハーフカット線により構成される第２層間剥離帯と、を有し、
前記第１側面フラップは、前記端面の周縁に接する前記第１側面板の辺に沿って所定間隔で互いに少なくとも前記第２面板側の辺の近傍まで平行に延出する、前記第１側面フラップの表面側と裏面側の夫々に形成された一対のハーフカット線により構成される第３層間剥離帯を有し、
前記第２側面フラップは、前記端面の周縁に接する前記第２側面板の辺に沿って所定間隔で互いに少なくとも前記第２面板側の辺の近傍まで平行に延出する、前記第２側面フラップの表面側と裏面側の夫々に形成された一対のハーフカット線により構成される第４層間剥離帯を有する、
包装箱。
【請求項２】
請求項１に記載の包装箱であって、
前記第１側面フラップは、前記第１面板が存在する側の辺に略Ｖ字状の第１切込部を有し、前記第３層間剥離帯を構成する前記一対のハーフカット線は、前記第１切込部の頂部を起点として形成され、
前記第２側面フラップは、前記第１面板が存在する側の辺に略Ｖ字状の第２切込部を有し、前記第４層間剥離帯を構成する前記一対のハーフカット線は、前記第２切込部の頂部を起点として形成されている、
包装箱。
【請求項３】
請求項１又は２に記載の包装箱であって、
前記筒体の端面を構成し、前記第２面板に延設される第２フラップを有し、
前記端面は、前記第１側面フラップ、前記第２側面フラップ、前記第２フラップ、及び前記第１フラップを、この順に重ね合わせて接着することにより閉塞される、
包装箱。
【請求項４】
請求項１乃至３のいずれか一項に記載の包装箱であって、
前記筒体の２つの端面の夫々について、前記第１層間剥離帯、前記第２層間剥離帯、前記第３層間剥離帯、及び前記第４層間剥離帯を有する、
包装箱。
【請求項５】
請求項１乃至４のいずれか一項に記載の包装箱であって、
前記筒体は使い捨て用紙の収容部として機能し、前記使い捨て用紙は、前記蓋部を切り抜くことにより形成される取出口から取り出される、
包装箱。
【請求項６】
請求項５に記載の包装箱であって、
前記第１面板の裏面側に前記取出口を覆うように設けられるフィルムを有し、
前記フィルムは、前記取出口の中央付近に相当する位置に前記使い捨て用紙を取り出す際に引っ掛かりとして機能するスリットを有する、
包装箱。
【請求項７】
請求項１乃至６のいずれか一項に記載の包装箱であって、
ブランクを組み立てることにより構成され、
前記ブランクは、互いに平行に設けられた折曲線を介して連接された、前記第１面板、前記第２面板、前記第１側面板、及び前記第２側面板と、前記連接される方向の一端に前記折曲線に平行な折曲線を介して延設された接続片とを有し、
前記筒体は、前記ブランクを前記折曲線において折り曲げるとともに前記接続片を前記４つの面板の連接方向の他端の前記側面板に接着し、前記ブランクを立体的に立ち上げることにより構成される、
包装箱。
【発明の詳細な説明】
【技術分野】
【０００１】
本発明は、使い捨て用紙等が収容される包装箱に関する。
【背景技術】
【０００２】
特許文献１には、ティッシュペーパー等の衛生用紙の包装箱を解体する技術について記載されている。衛生用紙包装箱は、対向する上下の面板と、同じく対向する左右一対の側面板とによって角筒状本体が形成され、前記一対の側面板の両端縁に角筒状本体の妻面を形成する内フラップと、上下の面板の両端縁に同じく角筒状本体の妻面を形成する外フラップを有するとともに、上面板には内面部にプラスチックフイルムが貼り付けられている衛生用紙の取出し口が設けられ、下面板と一方の側面板との連接折れ線上（境界の辺上）の離間する二点ａ，ｂを起点として下面板に対し、該二点をつなぐように略円弧状、または三角形状若しくは多角形状の押込み用切込線を有し、該切込線の起点ａ、ｂのそれぞれより妻面を形成する外フラップの連接折れ線の終端部に至る解体用切込線を有する。
【先行技術文献】
【特許文献】
【０００３】
【特許文献１】特開２００６−３４１９２５号公報
【発明の概要】
【発明が解決しようとする課題】
【０００４】
ティッシュペーパー等の使い捨て用紙を収容するための包装箱は、外部からの埃等の侵入防止や輸送時や使用中における強度確保等を目的として、その両端面がホットメルト等の接着材を用いてしっかりと接着固定された構造になっている。そのため、廃棄に際して包装箱を手で解体しようとしても綺麗に引き裂くことができず、解体後の見栄えもよくない。また解体後の形態が不均一であったり解体後の紙片に立体的な部分が残留していると保管性や取り扱い性が低下し廃棄作業も煩雑になる。
【０００５】
本発明はこのような背景に鑑みてなされたもので、解体性に優れた包装箱を提供することを目的としている。
【課題を解決するための手段】
【０００６】
上記目的を達成するための本発明の一つは、包装箱であって、角筒状の筒体を構成する、第１面板、前記第１面板に対向する第２面板、前記第１面板及び前記第２面板に連設される第１側面板、及び前記第１側面板に対向する第２側面板、前記第１面板の面内に前記第１の面板の面内に切り抜き可能に設けられる所定形状の蓋部、前記筒体の端面を構成し、前記第１面板に延設される第１フラップ、前記筒体の前記端面を構成し、前記第１側面板に延設される第１側面フラップ、前記筒体の前記端面を構成し、前記第２側面板に延設される第２側面フラップ、を有し、前記第１面板は、前記蓋部の周縁の第１部位から、少なくとも前記第１面板の前記端面に接する第１角部の近傍まで所定間隔で互いに平行に延出する、前記第１面板の表面側と裏面側の夫々に形成された一対のハーフカット線により構成される第１層間剥離帯と、前記蓋部の周縁の第２部位から、少なくとも前記第１面板の前記端面に接する第２角部の近傍まで所定間隔で平行に延出する、前記第１面板の表面側と裏面側の夫々に形成された一対のハーフカット線により構成される第２層間剥離帯と、を有し、前記第１側面フラップは、前記端面の周縁に接する前記第１側面板の辺に沿って所定間隔で互いに少なくとも前記第２面板側の辺の近傍まで平行に延出する、前記第１側面フラップの表面側と裏面側の夫々に形成された一対のハーフカット線により構成される第３層間剥離帯を有し、前記第２側面フラップは、前記端面の周縁に接する前記第２側面板の辺に沿って所定間隔で互いに少なくとも前記第２面板側の辺の近傍まで平行に延出する、前記第２側面フラップの表面側と裏面側の夫々に形成された一対のハーフカット線により構成される第４層間剥離帯を有する。
【０００７】
本発明の包装箱にあっては、ユーザは、第１面板の蓋部の周縁付近を指でつまんで上方に捲り上げるようにすることで、第１層間剥離帯及び第２層間剥離帯の作用により、第１面板の辺を一辺とする略三角形状の部分を第１面板から容易に切り離すことができる。またユーザは、上記略三角形状の部分を指でつまんで包装箱の側方に開くように操作することで、包装箱の筒体の端面を筒体から容易に切り離すことができる。このように、本発明の包装箱は簡単な操作でスムーズかつ綺麗に解体することができる。
【０００８】
本発明の他の一つは、上記包装箱であって、前記第１側面フラップは、前記第１面板が存在する側の辺に略Ｖ字状の第１切込部を有し、前記第３層間剥離帯を構成する前記一対のハーフカット線は、前記第１切込部の頂部を起点として形成され、前記第２側面フラップは、前記第１面板が存在する側の辺に略Ｖ字状の第２切込部を有し、前記第４層間剥離帯を構成する前記一対のハーフカット線は、前記第２切込部の頂部を起点として形成されていることとする。
【０００９】
本発明によれば、ユーザが筒体の端面に接する辺を一辺とする第１面板の所定領域を捲り上げ、続いて上記所定領域をつまんだまま側方に引っ張った際に第１切込部及び第２切込部に応力が集中しやすくなり、第１層間剥離帯及び第２層間剥離帯の層間剥離に連続して、第３層間剥離帯及び第４層間剥離帯の層間剥離が生じやすくなる。そのため、ユーザは大きな力を加えることなくスムーズに包装箱を解体することができる。
【００１０】
本発明の他の一つは、上記包装箱であって、前記筒体の端面を構成し、前記第２面板に延設される第２フラップを有し、前記端面は、前記第１側面フラップ、前記第２側面フラップ、前記第２フラップ、及び前記第１フラップを、この順に重ね合わせて接着することにより閉塞されることとする。
【００１１】
本発明の包装箱はこのように筒体の端面がしっかりと接着されている場合でもスムーズかつ綺麗に解体することができる。
【００１２】
本発明の他の一つは、上記包装箱であって、前記筒体の２つの端面の夫々について、前記第１層間剥離帯、前記第２層間剥離帯、前記第３層間剥離帯、及び前記第４層間剥離帯を有することとする。
【００１３】
本発明の他の一つは、上記包装箱であって、前記筒体は使い捨て用紙の収容部として機能し、前記使い捨て用紙は、前記蓋部を切り抜くことにより形成される取出口から取り出されることとする。
【００１４】
本発明の他の一つは、上記包装箱であって、前記第１面板の裏面側に前記取出口を覆うように設けられるフィルムを有し、前記フィルムは、前記取出口の中央付近に相当する位置に前記使い捨て用紙を取り出す際に引っ掛かりとして機能するスリットを有する。
【００１５】
上記フィルムは、ユーザが包装箱の第１面板の蓋部の短辺付近を指でつまんで上方に捲り上げるようにした際、自然に第１面板から剥がれてしまうため、本発明は上記フィルムを有する包装箱についても支障なく適用することができる。
【００１６】
本発明の他の一つは、上記包装箱であって、ブランクを組み立てることにより構成され、前記ブランクは、互いに平行に設けられた折曲線を介して連接された、前記第１面板、前記第２面板、前記第１側面板、及び前記第２側面板と、前記連接される方向の一端に前記折曲線に平行な折曲線を介して延設された接続片とを有し、前記筒体は、前記ブランクを前記折曲線において折り曲げるとともに前記接続片を前記４つの面板の連接方向の他端の前記側面板に接着し、前記ブランクを立体的に立ち上げることにより構成される。
【００１７】
このように本発明の包装箱は、一枚のブランクから容易に構成することができる。
【００１８】
その他、本願が開示する課題、及びその解決方法は、発明を実施するための形態の欄、及び図面により明らかにされる。
【発明の効果】
【００１９】
本発明によれば、解体性に優れた包装箱を提供することができる。
【図面の簡単な説明】
【００２０】
【図１Ａ】包装箱の開封前の状態（封緘状態）を示す斜視図である。
【図１Ｂ】包装箱の開封後の状態を示す斜視図である。
【図２Ａ】ブランクを包装箱の表面側から眺めた図である。
【図２Ｂ】ブランクを包装箱の裏面側から眺めた図である。
【図３】包装箱の組み立てから廃棄までの流れを説明するフローチャートである。
【図４Ａ】筒体を組み立てている様子を示す図である。
【図４Ｂ】筒体を組み立てている様子を示す図である。
【図５Ａ】包装箱を封緘（封函）している様子を示す図である。
【図５Ｂ】包装箱を封緘（封函）している様子を示す図である。
【図６】包装箱を開封している様子を示す図である。
【図７Ａ】包装箱の解体手順を説明する図である。
【図７Ｂ】包装箱の解体手順を説明する図である。
【図７Ｃ】包装箱の解体手順を説明する図である。
【図７Ｄ】包装箱の解体手順を説明する図である。
【発明を実施するための形態】
【００２１】
以下、実施形態につき図面を参照しつつ説明する。以下の説明において、同一の又は類似する構成について同一の符号を付して重複した説明を省略することがある。
【００２２】
図１Ａ及び図１Ｂに本発明の一実施形態として説明する包装箱（以下、包装箱１０と称する。）の斜視図を示している。図１Ａは、包装箱１０の開封前の状態（封緘（封函）状態）を示す斜視図である。また図１Ｂは、包装箱１０の開封後の状態を示す斜視図である。これらの図に示すように、包装箱１０の全体は略直方体状を呈する。包装箱１０には、例えば、ティッシュペーパー、キッチンタオル、キッチンシート、トイレットペーパー、ペーパータオル等の使い捨て用紙（以下、収容物とも称する。）が収容される。
【００２３】
図１Ａに示すように、包装箱１０の上面中央部には、ミシン目等の切込線で囲まれた所定形状（略楕円形状、略長方形状等）の蓋部２が設けられている。図１Ｂに示すように、蓋部２を上記切込線に沿って切り抜くことで収容物の取出口２ａが形成される。
【００２４】
図２Ａは、包装箱１０の形成片（以下、「ブランク５」とも称する。）を包装箱１０の表面側から眺めた図である。また図２Ｂは、ブランク５を、包装箱１０の裏面側から眺めた図である。ブランク５は、例えば、パルプや古紙等を原料とする厚紙や板紙等のブランクシートを打ち抜くことにより形成される。
【００２５】
図２Ａ及び図２Ｂにおいて、破線は山折線を、一点鎖線は谷折線を、点線は破断線を、実線は切込線を、夫々示す。破断線は、例えば、ミシン目、断続的に形成されたつなぎ部分を有する切込線、ブランク５の厚みの一部を残して切り込んだ切込線（以下、ハーフカット線とも称する。）等である。破断線や切込線は、山折線又は谷折線として機能することもある。尚、破断線や切込線が山折線又は谷折線として機能する場合、図２Ａ及び図２Ｂでは兼用される機能のうちのいずれかに相当する線種を選択して描いている。また表面側が山折線である場合、通常は裏面側は谷折線となる。
【００２６】
図２Ａに示すように、ブランク５は、夫々の長尺辺が互いに平行になるように形成された４つの面板（第１側面板１１、上面板１２（第１面板）、第２側面板１３、及び下面板１４（第２面板））、上記４つの面板の連接方向の一端に延設された接続片１７（グルーフラップ）を有する。
【００２７】
同図に示すように、第１側面板１１と上面板１２との間には山折線３１が、上面板１２と第２側面板１３との間には山折線３２が、第２側面板１３と下面板１４との間には山折線３３が、下面板１４と接続片１７との間には山折線３４が、夫々形成されている。
【００２８】
第１側面板１１、上面板１２、第２側面板１３、下面板１４、及び接続片１７は、夫々の長尺辺を境界としてこの順に連接されており、これらを折り曲げて組み立てることにより角筒状の筒体が形成される。包装箱１０の収容物は上記筒体の内部に収容される。上記筒体の形成に際し、接続片１７は、その表面側に接着剤（ホットメルト等）が塗布されて第１側面板１１の裏面側に接着される。
【００２９】
上面板１２及び下面板１４の外形は同形状（略長方形状）であり、上記筒体が組み立てられた状態で両者は平行となる。また第１側面板１１と第２側面板１３は同形状（略長方形状）であり、上記筒体が組み立てられた状態で両者は平行となる。尚、使い捨て用紙が収容される包装箱１０としては、同図に示すように、上面板１２（又は下面板１４）の面積が第１側面板１１（又は第２側面板１３）の面積より大きくなっているものが一般的であるが、両者の面積比は必ずしも同図に示すものに限定されない。
【００３０】
ブランク５は、上面板１２の上記連接方向に対して直角方向の短尺辺の一方に延設された上面フラップ１２１ａとなる部分、上面板１２の上記連接方向に対して直角方向の短尺辺の他方に延設された上面フラップ１２１ｂとなる部分、下面板１４の、上記連接方向に対して直角方向の短尺辺の一方に延設された下面フラップ１４１ａとなる部分、下面板１４の上記連接方向に対して直角方向の短尺辺の他方に延設された下面フラップ１４１ｂとなる部分、を有する。本実施形態では、上面フラップ１２１ａ、上面フラップ１２１ｂ、下面フラップ１４１ａ、及び下面フラップ１４１ｂは、いずれも略長方形状であるが、これらの形態は必ずしも同図に示すものに限定されない。
【００３１】
ブランク５は、第１側面板１１の上記連接方向に対して直角方向の短尺辺の一方に延設された第１側面フラップ１１１ａとなる部分、第１側面板１１の上記連接方向に対して直角方向の短尺辺の他方に延設された第１側面フラップ１１１ｂとなる部分、第２側面板１３の、上記連接方向に対して直角方向の短尺辺の一方に延設された第２側面フラップ１３１ａとなる部分、及び第２側面板１３の上記連接方向に対して直角方向の短尺辺の他方に延設された第２側面フラップ１３１ｂとなる部分、を有する。本実施形態では、第１側面フラップ１１１ａ、第１側面フラップ１１１ｂ、第２側面フラップ１３１ａ、及び第２側面フラップ１３１ｂは、いずれも略長方形であり、またこれらはいずれも上面フラップ１２１ａ、上面フラップ１２１ｂ、下面フラップ１４１ａ、及び下面フラップ１４１ｂに比べてサイズが小さくなっているが、これらの形態は必ずしも同図に示すものに限定されない。
【００３２】
第１側面板１１と第１側面フラップ１１１ａとの間には山折線４１ａが、第１側面板１１と第１側面フラップ１１１ｂとの間には山折線４１ｂが、夫々形成されている。また上面板１２と上面フラップ１２１ａとの間には山折線４２ａが、上面板１２と上面フラップ１２１ｂとの間には山折線４２ｂが、夫々形成されている。また第２側面板１３と第２側面フラップ１３１ａとの間には山折線４３ａが、第２側面板１３と第２側面フラップ１３１ｂとの間には山折線４３ｂが、夫々形成されている。下面板１４と下面フラップ１４１ａとの間には山折線４４ａが、下面板１４と下面フラップ１４１ｂとの間には山折線４４ｂが、夫々形成されている。
【００３３】
図２Ａに示すように、上面板１２の中央には、蓋部２を切り抜くための略長方形状の破断線２１（ミシン目等）が形成されている。同図に示すように、蓋部２の一方の短辺近傍には、蓋部２を切り抜く際につまみとして機能する半円状部分１２２の円弧部分を切り出すための破断線２１１（ミシン目等）が形成されている。
【００３４】
図２Ａに示すように、上面板１２の表面側には、蓋部２の４つの角部（丸みを帯びた角部）の夫々から、夫々から最短距離に位置する上面板１２の角部にまで直線状に延出するハーフカット線１２３ａ，１２３ｂ，１２３ｃ，１２３ｄが形成されている。
【００３５】
図２Ｂに示すように、上面板１２の裏面側には、蓋部２の４つの角部（丸みを帯びた角部）の夫々から、夫々から最短距離に位置する上面板１２の角部近傍に延出するハーフカット線１２４ａ，１２４ｂ，１２４ｃ，１２４ｄが形成されている。
【００３６】
上記表面側のハーフカット線１２３ａ，１２３ｂ，１２３ｃ，１２３ｄは、夫々上記裏面側のハーフカット線１２４ａ，１２４ｂ，１２４ｃ，１２４ｄと対になり、各対は層間剥離帯を構成している。即ち、表面側のハーフカット線１２３ａは裏面側のハーフカット線１２４ａとともに層間剥離帯（第１層間剥離帯）を構成している。また表面側のハーフカット線１２３ｂは裏面側のハーフカット線１２４ｂとともに層間剥離帯（第２層間剥離帯）を構成している。また表面側のハーフカット線１２３ｃは裏面側のハーフカット線１２４ｃとともに層間剥離帯（第１層間剥離帯）を構成している。また表面側のハーフカット線１２３ｄは裏面側のハーフカット線１２４ｄとともに層間剥離帯（第２層間剥離帯）を構成している。
【００３７】
表面側のハーフカット線１２３ａと裏面側のハーフカット線１２４ａは、一部を除き隣接して平行に延出している。また表面側のハーフカット線１２３ｂと裏面側のハーフカット線１２４ｂは、一部を除き隣接して平行に延出している。また表面側のハーフカット線１２３ｃと裏面側のハーフカット線１２４ｃは、一部を除き隣接して平行に延出している。また表面側のハーフカット線１２３ｄと裏面側のハーフカット線１２４ｄは、一部を除き隣接して平行に延出している。
【００３８】
裏面側のハーフカット線１２４ａ，１２４ｂは、いずれも夫々と対になっている表面側のハーフカット線１２３ａ，１２３ｂよりも上面板１２の最寄りの短辺に近い側に形成されている。また裏面側のハーフカット線１２４ｃ，１２４ｄは、いずれも夫々と対になっている表面側のハーフカット線１２３ｃ，１２３ｄよりも上面板１２の最寄りの短辺に近い側に形成されている。
【００３９】
裏面側のハーフカット線１２４ａ，１２４ｂは、いずれも蓋部２の角部（丸みを帯びた角部）から上面板１２の最寄りの短辺に近づく向きに少々（表面側のハーフカット線と裏面側のハーフカット線の間隔分）延出した後、夫々、表面側のハーフカット線１２３ａ，１２３ｂと平行に延出し、終点は夫々に対応する上面板１２の最寄りの角部の近傍（上面板１２の最寄りの短辺上の上面板１２の角部の近傍）になっている。また裏面側のハーフカット線１２４ｃ，１２４ｄは、いずれも蓋部２の角部（丸みを帯びた角部）から上面板１２の最寄りの短辺に近づく向きに少々（表面側のハーフカット線と裏面側のハーフカット線の間隔分）延出した後、夫々、表面側のハーフカット線１２３ｃ，１２３ｄと平行に延出し、終点は夫々に対応する上面板１２の最寄りの角部の近傍（上面板１２の最寄りの短辺上の上面板１２の角部の近傍）になっている。
【００４０】
図２Ａ又は図２Ｂに示すように、第１側面フラップ１１１ａ、第１側面フラップ１１１ｂ、第２側面フラップ１３１ａ、及び第２側面フラップ１３１ｂは、夫々、上記筒体を組み立てた際に上面板１２が存在する側の辺に略Ｖ字状（略三角形状）の切込部１１２ａ（第１切込部）、切込部１１２ｂ（第１切込部）、切込部１３２ａ（第２切込部）、及び切込部１３２ｂ（第２切込部）を有する。
【００４１】
図２Ａに示すように、第１側面フラップ１１１ａ、第１側面フラップ１１１ｂ、第２側面フラップ１３１ａ、及び第２側面フラップ１３１ｂの表面側には、夫々上記切込部１１２ａ，１１２ｂ，１３２ａ，１３２ｂの頂部（頂点）を基点とし、上記筒体を組み立てた際に下面板１４が存在する側に向かって延出するハーフカット線１１３ａ，１１３ｂ，１３３ａ，１３３ｂが形成されている。
【００４２】
図２Ｂに示すように、第１側面フラップ１１１ａ、第１側面フラップ１１１ｂ、第２側面フラップ１３１ａ、及び第２側面フラップ１３１ｂの裏面側には、夫々上記切込部１１２ａ，１１２ｂ，１３２ａ，１３２ｂの頂部（頂点）を基点とし、上記筒体を組み立てた際に下面板１４が存在する側に向かって延出するハーフカット線１１４ａ，１１４ｂ，１３４ａ，１３４ｂが形成されている。
【００４３】
表面側のハーフカット線１１３ａ，１１３ｂ，１３３ａ，１３３ｂは、夫々裏面側のハーフカット線１１４ａ，１１４ｂ，１３４ａ，１３４ｂと対になり、各対は層間剥離帯を構成している。即ち、表面側のハーフカット線１１３ａは裏面側のハーフカット線１１４ａとともに層間剥離帯（第３層間剥離帯）を構成している。また表面側のハーフカット線１１３ｂは裏面側のハーフカット線１１４ｂとともに層間剥離帯（第３層間剥離帯）を構成している。また表面側のハーフカット線１３３ａは裏面側のハーフカット線１３４ａとともに層間剥離帯（第４層間剥離帯）を構成している。また表面側のハーフカット線１３３ｂは裏面側のハーフカット線１３４ｂとともに層間剥離帯（第４層間剥離帯）を構成している。
【００４４】
表面側のハーフカット線１１３ａと裏面側のハーフカット線１１４ａは、一部を除き隣接して平行に延出している。また表面側のハーフカット線１１３ｂと裏面側のハーフカット線１１４ｂは、一部を除き隣接して平行に延出している。また表面側のハーフカット線１３３ａと裏面側のハーフカット線１３４ａは、一部を除き隣接して平行に延出している。また表面側のハーフカット線１３３ｂと裏面側のハーフカット線１３４ｂは、一部を除き隣接して平行に延出している。
【００４５】
裏面側のハーフカット線１１４ａ，１１４ｂは、いずれも夫々と対になっている表面側のハーフカット線１１３ａ，１１３ｂよりも第１側面板１１の最寄りの短辺から遠い側に形成されている。また裏面側のハーフカット線１３４ａ，１３４ｂは、いずれも夫々と対になっている表面側のハーフカット線１３３ａ，１３３ｂよりも第２側面板１３の最寄りの短辺から遠い側に形成されている。
【００４６】
図２Ａに示すように、表面側のハーフカット線１１３ａ，１１３ｂ，１３３ａ，１３３ｂは、夫々切込部１１２ａ，１１２ｂ，１３２ａ，１３２ｂの頂部から第１側面板１１の最寄りの短辺に近づく向きに少々（表面側のハーフカット線と裏面側のハーフカット線の間隔を確保する程度）延出した後、第１側面板１１の最寄りの短辺と平行に延出し、いずれも下面板１４の近傍で第１側面板１１の最寄りの短辺の方向に折れ曲がり、終点は夫々に対応する下面板１４の角部（第１側面フラップ１１１ａ、第１側面フラップ１１１ｂ、第２側面フラップ１３１ａ、及び第２側面フラップ１３１ｂの夫々の角部）になっている。
【００４７】
図２Ｂに示すように、裏面側のハーフカット線１１４ａ，１１４ｂ，１３４ａ，１３４ｂは、夫々切込部１１２ａ，１１２ｂ，１３２ａ，１３２ｂの頂部から第１側面板１１の最寄りの短辺と平行に延出し、いずれも下面板１４の近傍で第１側面板１１の最寄りの短辺の方向に折れ曲がり、終点は夫々に対応する下面板１４の角部近傍（第１側面フラップ１１１ａ、第１側面フラップ１１１ｂ、第２側面フラップ１３１ａ、及び第２側面フラップ１３１ｂの夫々の短辺上の下面板１４の夫々の角部近傍）になっている。
【００４８】
第１側面フラップ１１１ａ、第２側面フラップ１３１ａ、下面フラップ１４１ａ、及び上面フラップ１２１ａは、前述した筒体を組み立てた際、前述した筒体の一方の端面を塞ぐように機能する。具体的には、まず上記端面を塞ぐように第１側面フラップ１１１ａ、第２側面フラップ１３１ａを折り曲げた後、その上に下面フラップ１４１ａが重なるように折り曲げ、さらにその上に上面フラップ１２１ａが重なるように折り曲げる。
【００４９】
また第１側面フラップ１１１ｂ、第２側面フラップ１３１ｂ、下面フラップ１４１ｂ、及び上面フラップ１２１ｂは、前述した筒体を組み立てた際、前述した筒体の他方の端面を塞ぐように機能する。具体的には、まず上記端面を塞ぐように第１側面フラップ１１１ｂ、第２側面フラップ１３１ｂを折り曲げた後、その上に下面フラップ１４１ｂが重なるように折り曲げ、さらにその上に上面フラップ１２１ｂが重なるように折り曲げる。
【００５０】
図２Ａ又は図２Ｂに示すように、下面板１４の中央には、収容物の残量が減ってきた際に収容物を底上げするように作用する構造（以下、底上部と称する。）となる部分を切り抜くための破断線１４２（一部に折曲線部分を含む）が形成されている。尚、破断線１４２の形態、即ち底上部の形態は同図に示したものに限られない。
【００５１】
図２Ａに示すように、上面フラップ１２１ａの表面側の所定位置には、略正方形状の浮上部１２５ａ、及び略正方形状の浮上部１２６ａが形成されている。また上面フラップ１２１ｂの表面側の所定位置には、略正方形状の浮上部１２５ｂ、及び略正方形状の浮上部１２６ｂが形成されている。また第１側面フラップ１１１ａの所定位置には略正方形状の浮上部１１５ａが、第１側面フラップ１１１ｂの所定位置には略正方形状の浮上部１１５ｂが、第２側面フラップ１３１ａの所定位置には略正方形状の浮上部１３５ａが、第２側面フラップ１３１ｂの所定位置には略正方形状の浮上部１３５ｂが、夫々形成されている。
【００５２】
浮上部１１５ａ及び浮上部１２５ａは、前述した筒体の端面を塞ぐ際に両者が丁度重なるように位置決めされている。また浮上部１３５ａ及び浮上部１２６ａは、前述した筒体の端面を塞ぐ際に両者が丁度重なるように位置決めされている。また浮上部１１５ｂ及び浮上部１２５ｂは、前述した筒体の端面を塞ぐ際に両者が丁度重なるように位置決めされている。また浮上部１３５ｂ及び浮上部１２６ｂは、前述した筒体の端面を塞ぐ際に両者が丁度重なるように位置決めされている。
【００５３】
このように浮上部を設けることで、上面板１２１ａと第１側面フラップ１１１ａ及び第２側面フラップ１３１ａとの間の密封性や、上面フラップ１２１ａと第１側面フラップ１１１ａ及び第２側面フラップ１３１ａとの間の密封性、上面フラップ１２１ｂと第１側面フラップ１１１ｂ及び第２側面フラップ１３１ｂとの間の接着強度と密封性を高めることができる。そして接着強度が高まることで、後述する手順に従って包装箱１０を解体する際、第３層間剥離帯及び第４層間剥離帯に沿ったラインでの破断を確実に生じさせることができ、包装箱１０をスムーズに解体することができる。
【００５４】
また本実施形態では、このように浮上部をいずれも略正方形状としているが、浮上部の形状は必ずしも限定されない。またこのように上面フラップ１２１ａ，１２１ｂ、第１側面フラップ１１１ａ，１１１ｂ、第２側面フラップ１３１ａ，１３１ｂの面内に浮上部を形成するのではなく、例えば、上面フラップ１２１ａ，１２１ｂと下面フラップ１４１ａ，１４１ｂの夫々の対応する位置に段差構造（断面Ｌ字状の折曲線）を設けることにより両者を重ね合わせた際に隙間が生じないようにして接着強度と密封性を高めるようにしてもよい。
【００５５】
＜製造から廃棄まで＞
続いて、図３に示すフローチャートとともに、包装箱１０の製造から廃棄（組み立て→箱詰め→封緘（封函）→開封→再封→解体→廃棄）までの流れについて説明する。
【００５６】
包装箱１０の組み立てに際しては、まずカートニングマシン（製函機）等を用い、ブランク５の４つの面板（第１側面板１１、上面板１２、第２側面板１３、及び下面板１４）と接続片１７を、山折線３１〜３４に沿って折り曲げる（Ｓ３１１）。
【００５７】
続いて、接続片１７の表面に接着剤（ホットメルト等）を塗布し、接続片１７の表面を第１側面板１１の裏面に接着する（Ｓ３１２）。
【００５８】
続いて、カートニングマシン（製函機）等を用いてブランク５を立体的に立ち上げることにより、前述した筒体を組み立てる（Ｓ３１３）。
【００５９】
図４Ａ及び図４Ｂに、前述した筒体を組み立てている様子を示す。
【００６０】
続いて、筒体にティッシュペーパー等の収容物を箱詰めし（Ｓ３１４）、包装箱１０を封緘（封函）する（Ｓ３１５）。封緘は、例えば、箱詰機や封緘装置等を用いて行われる。
【００６１】
図５Ａ及び図５Ｂに、包装箱１０を封緘（封函）している様子を示す。以下、説明の簡単のため、前述した筒体の一方の端面に着目して説明するが、筒体の他方の端面についても同様の処理が行われる。
【００６２】
まず第１側面フラップ１１１ａ及び第２側面フラップ１３１ｂを、夫々、山折線４１ａ、山折線４３ａに沿って折り曲げる。続いて、第１側面フラップ１１１ａ及び第２側面フラップ１３１ａの上に重ねるように、下面フラップ１４１ａを山折線４４ａに沿って折り曲げる。続いて、下面フラップ１４１ａの上に重ねるように、上面フラップ１２１ａを山折線４２ａに沿って折り曲げる。尚、以上の各折り曲げ工程の所定の段階で、浮上部１１５ａと浮上部１２５ａ、及び浮上部１３５ａと浮上部１２６ａとを接着するための接着剤が所定箇所にスポット的に塗布される。
【００６３】
以上の手順の後、包装箱１０は流通経路等を経てユーザにわたる。ユーザは、蓋部２を引き剥がして包装箱１０を開封し（図６）（Ｓ３１６）、収容物を消費する（Ｓ３１７）。
【００６４】
その後、収容物を消費し尽くして用済みとなった包装箱１０は、以下に説明する手順に従って効率よく解体され（Ｓ３１８）、廃棄される（Ｓ３１９）。
【００６５】
＜解体手順＞
図７Ａ乃至図７Ｄとともに、包装箱１０の解体手順について説明する。
【００６６】
まず図７Ａに示すように、ユーザは、包装箱１０の上面板１２の蓋部２の短辺付近を指でつまんで上方に捲り上げるようにする。これにより、上面板１２は、表面側のハーフカット線１２３ａ，１２３ｂ，１２３ｃ，１２３ｄと裏面側のハーフカット線１２４ａ，１２４ｂ，１２４ｃ，１２４ｄの作用により層間剥離する。より具体的には、上面板１２の、表面側のハーフカット線１２３ａと裏面側のハーフカット線１２４ａとで構成された層間剥離帯（第１層間剥離帯）、表面側のハーフカット線１２３ｂと裏面側のハーフカット線１２４ｂとで構成された層間剥離帯（第２層間剥離帯）、表面側のハーフカット線１２３ｃと裏面側のハーフカット線１２４ｃとで構成された層間剥離帯（第１層間剥離帯）、及び表面側のハーフカット線１２３ｄと裏面側のハーフカット線１２４ｄとで構成された層間剥離帯（第２層間剥離帯）、が夫々層間剥離する。そしてこれらにより、図７Ｂに示すように、上面板１２の、当該上面板１２の短辺を底辺とする略三角形状の部分が上面板１２から切り離される。尚、上記層間剥離の作用により、ユーザは上記切り離しの作業をスムーズに行うことができる。また上記層間剥離の作用により、ユーザは上記略三角形状の部分を上面板１２から綺麗に切り離すことができる。
【００６７】
続いて、ユーザは、図７Ｂに示すように、切離された略三角形状の部分を指でつまんだまま包装箱１０の側方に開くように操作する。これにより、包装箱１０の端面（上面フラップ１２１ａ、下面フラップ１４１ａ、第１側面フラップ１１１ａ、及び第２側面フラップ１３１ａで構成された側面と、上面フラップ１２１ｂ、下面フラップ１４１ｂ、第１側面フラップ１１１ｂ、及び第２側面フラップ１３１ｂで構成された端面）は、表面側のハーフカット線１１３ａ，１１３ｂ，１３３ａ，１３３ｂ、及び裏面側のハーフカット線１１４ａ，１１４ｂ，１３４ａ，１３４ｂの作用により層間剥離する。より具体的には、第１側面フラップ１１１ａの表面側のハーフカット線１１３ａと裏面側のハーフカット線１１４ａとで構成された層間剥離帯（第３層間剥離帯）、第１側面フラップ１１１ｂの表面側のハーフカット線１１３ｂと裏面側のハーフカット線１１４ｂとで構成された層間剥離帯（第３層間剥離帯）、第２側面フラップ１３１ａの表面側のハーフカット線１３３ａと裏面側のハーフカット線１３４ａとで構成された層間剥離帯（第４層間剥離帯）、及び第２側面フラップ１３１ｂの表面側のハーフカット線１３３ｂと裏面側のハーフカット線１３４ｂとで構成された層間剥離帯（第４層間剥離帯）、が夫々層間剥離する。そして以上により、図７Ｃに示すように、包装箱１０の前述した筒体の端面が切り離される。
【００６８】
尚、ユーザが上記の略三角形状の部分を指でつまんだまま包装箱１０の側方に開くように操作した際、切込部１１２ａ、切込部１１２ｂ、切込部１３２ａ、及び切込部１３２ｂに応力が集中するため、上記層間剥離（第３層間剥離帯及び第４層間剥離帯の層間剥離）が自然に誘導され、ユーザは上記筒体の端面の切り離しをスムーズかつ綺麗に行うことができる。
【００６９】
続いて、以上の操作の結果、第１側面板１１及び第２側面板１３はいずれも支えがなくなっているので、ユーザは第１側面板１１及び第２側面板１３を倒すように操作するだけで包装箱１０を容易に展開することができ、図７Ｄに示すように包装箱１０を一気に平坦（フラット）な状態にすることができる。同図に示すように、この状態で、展開された包装箱１０の厚みはブランク５一枚分程度の厚みとなる。そのため、例えば、複数の包装箱１０の解体後の紙片を重ね置きした場合に全体の嵩張りが少なく保管性や取り扱い性に優れ、廃棄作業を効率よく行うことができる。
【００７０】
尚、収容物の使用中（消費中）、即ち包装箱１０の使用中に包装箱１０に印加される外力は、通常は包装箱１０の外側から内側に向かう力である。そのため、ユーザが以上のような解体操作（蓋部の短辺付近を指でつまんで上方に捲り上げる操作）を故意に行わない限り、包装箱１０が分解してしまうようなことはない。
【００７１】
ところで、以上の説明は、本発明の理解を容易にするためのものであり、本発明を限定するものではない。本発明は、その趣旨を逸脱することなく、変更、改良され得ると共に、本発明にはその等価物が含まれる。
【００７２】
例えば、包装箱１０の取出口２ａの内側に、使い捨て用紙を取り出したときに後続する使い捨て用紙の引っ掛かりとして機能する構造（取出口２ａの中央付近に相当する位置に使い捨て用紙を通すスリットが形成された樹脂フィルム等）が設けられている場合でも、本発明を適用することができる。例えば、上記構造の一例である樹脂フィルムの多くは上面板１２の裏面側の取出口２ａの周辺にその周縁部分が接着されることにより設けられており、図７Ａに示すように、樹脂フィルムは、ユーザが前述のように包装箱１０の上面板１２の蓋部２の短辺付近を指でつまんで上方に捲り上げるようにした際、自然に上面板１２から剥がれてしまうため、上記構造を有する包装箱１０についても支障なく本発明を適用することができる。
【符号の説明】
【００７３】
２  蓋部、５  ブランク、１０  包装箱、１１  第１側面板、１１１ａ，１１１ｂ  第１側面フラップ、１１２ａ，１１２ｂ  切込部、１１３ａ，１１３ｂ  ハーフカット線（表面側）、１１４ａ，１１４ｂ  ハーフカット線（裏面側）、１２  上面板、１２１ａ，１２１ｂ  上面フラップ、１２３ａ〜ｄ  ハーフカット線（表面側）、１２４ａ〜ｄ  ハーフカット線（裏面側）、１４１ａ，１４１ｂ  下面フラップ、１３  第２側面板、１３１ａ，１３１ｂ  第２側面フラップ、１３２ａ，１３２ｂ  切込部、１３３ａ，１３３ｂ  ハーフカット線（表面側）、１３４ａ，１３４ｂ  ハーフカット線（裏面側）、１４  下面板１４、１４１ａ，１４１ｂ  下面フラップ、１７  接続片、２１  破断線、４１ａ，４１ｂ  山折線、４２ａ，４２ｂ  山折線、４３ａ，４３ｂ  山折線、４４ａ，４４ｂ  山折線
【図１Ａ】
2018140791.tif 000003
【図１Ｂ】
2018140791.tif 000004
【図２Ａ】
2018140791.tif 000005
【図２Ｂ】
2018140791.tif 000006
【図３】
2018140791.tif 000007
【図４Ａ】
2018140791.tif 000008
【図４Ｂ】
2018140791.tif 000009
【図５Ａ】
2018140791.tif 000010
【図５Ｂ】
2018140791.tif 000011
【図６】
2018140791.tif 000012
【図７Ａ】
2018140791.tif 000013
【図７Ｂ】
2018140791.tif 000014
【図７Ｃ】
2018140791.tif 000015
【図７Ｄ】
2018140791.tif 000016